(57)【要約】【課題】６ピンコネクタの信号ラインに印加された電圧によってターゲット側の機器を破損する問題点に対して、この信号ラインを電圧検出回路に入力し信号ラインが保証できる電圧以上になったことを検出して警告音を出力することを目的とする。【解決手段】ｎ（ｎ＝自然数）本の信号ライン、電源ライン、グランドを有し任意の変換を行うコネクタＡと、ｍ（ｍ＝自然数）本の信号ライン、グランドを有するコネクタＢと、前記コネクタＡと前記コネクタＢを接続する通信ケーブルにおいて、前記コネクタＡを機器ＡＡに対して逆挿しを行った場合に任意の信号ラインに印可する電圧が一定電圧ａを超えたことを検出しまた一定電圧ａを越えない場合はｎ本のラインとの接続を切断する回路を有する電圧検出回路Ｃと、前記電圧検出回路Ｃが一定電圧ａを超えたことを検出した場合に警告を行う警告回路Ｄを有することによりターゲット側の機器の破損を防止できる。【選択図】図１
2005143239.tif 000002
【特許請求の範囲】
【請求項１】
ｎ（ｎは自然数）本の信号ラインと電源ラインとグランドラインをを有し任意の変換を行う第１の接続端子と、ｍ（ｍは自然数）本の信号ラインとグランドとを有する第２の接続端子と、前記第１の接続端子と前記第２の接続端子とを接続する通信ケーブルで、前記第１の接続端子を機器に対して逆挿しを行った場合に任意の信号ラインに印可する電圧が一定電圧を超えたことを検出しまた一定電圧を越えない場合はｎ本のラインとの接続を切断する電圧検出手段と、前記電圧検出手段が一定電圧を超えたことを検出した場合に警告を行う警告手段とを備えたことを特徴とする過電圧検出回路。
【請求項２】
ｎ（ｎは自然数）本の信号ラインと電源ラインとグランドラインをを有し任意の変換を行う第１の接続端子と、ｍ（ｍは自然数）本の信号ラインとグランドとを有する第２の接続端子と、前記第１の接続端子と前記第２の接続端子とを接続する通信ケーブルで、前記第１の接続端子を機器に対して逆挿しを行った場合に任意の信号ラインに印可する電圧が一定電圧を超えたことを検出しまた一定電圧を越えない場合はｎ本のラインとの接続を切断する電圧検出手段と、前記電圧検出手段が一定電圧を超えたことを検出した場合に警告を行う警告手段と、前記電圧検出手段が一定電圧を超えたことを記憶する記憶手段を備えたことを特徴とする過電圧検出回路。
【請求項３】
ｎ（ｎは自然数）本の信号ラインと電源ラインとグランドラインをを有し任意の変換を行う第１の接続端子と、ｍ（ｍは自然数）本の信号ラインとグランドとを有する第２の接続端子と、前記第１の接続端子と前記第２の接続端子とを接続する通信ケーブルで、前記第１の接続端子を機器正常に挿した場合にグランドからｎ本の信号ラインのオフセット電圧に対して一定電圧からオフセット電圧を引いた基準電圧を越えたことを検出しまた基準電圧を越えない場合はｎ本のラインとの接続を切断する電圧検出制御手段と、前記電圧検出制御手段が検出した場合に警告を行う警告手段とを備えたことを特徴とする過電圧検出回路。
【請求項４】
ｎ（ｎは自然数）本の信号ラインと電源ラインとグランドラインをを有し任意の変換を行う第１の接続端子と、ｍ（ｍは自然数）本の信号ラインとグランドとを有する第２の接続端子と、前記第１の接続端子と前記第２の接続端子とを接続する通信ケーブルで、前記第１の接続端子を機器正常に挿した場合にグランドからｎ本の信号ラインのオフセット電圧に対して一定電圧からオフセット電圧を引いた基準電圧を越えたことを検出しまた基準電圧を越えない場合はｎ本のラインとの接続を切断する電圧検出制御手段と、前記電圧検出制御手段が検出した場合に警告を行う警告手段と、前記電圧検出制御手段が検出した場合に記憶する記憶手段とを備えたことを特徴とする過電圧検出回路。
【請求項５】
ｎ（ｎは自然数）本の信号ラインと電源ラインとグランドラインをを有し任意の変換を行う第１の接続端子と、ｍ（ｍは自然数）本の信号ラインとグランドとを有する第２の接続端子と、前記第１の接続端子と前記第２の接続端子とを接続する通信ケーブルで、前記第１の接続端子を機器に正常に挿した場合にｎ本分の信号ラインの接続を行う切り替え手段と、前記切り替え手段の接続・切断する切替制御手段と、正常接続を通知する正常通知手段とを備えたことを特徴とする過電圧検出回路。
【発明の詳細な説明】
【技術分野】
【０００１】
本発明は、通信装置に関しコネクタの逆挿し、過電圧印可、静電気ノイズ等による機器の破損を保護又は使用者に警告を行う回路に関するものである。
【背景技術】
【０００２】
市場で販売されているＩＥＥＥ１３９４規格に準拠したインターフェイスボードやケーブルは安価で購入でき、パーソナルコンピュータに導入し、ディジタルビデオカメラ、ハードディスクドライブ、ＣＤ−ＲＷドライブ等に接続して、高速通信を行っている。しかし、粗悪なインターフェイスボード，ケーブル等は逆挿し等ができる商品がある。
【０００３】
また、環境によっては過電圧を発生させたり、ケーブルの構成により静電気ノイズで破壊を招くおそれがある。
【０００４】
以下に従来のインターフェイスボード、ケーブルについて説明する。
【０００５】
ケーブルの構成図について図６に示すものである。図６において、１０はＩＥＥＥ１３９４規格に準拠した６ピンコネクタであり、規格により４ピンコネクタに変換して出力している。１１はＩＥＥＥ１３９４規格に準拠した４ピンコネクタである。１２は６ピンコネクタ１０と４ピンコネクタ１１を接続するケーブルである。６ピンコネクタ１０内での変換に関しては図７に記載する。
【０００６】
以上のように構成されたコネクタとケーブルの変換を説明する。
【０００７】
６ピンコネクタ１０の１番ピンはＶＣＣで空きピンとし、２番ピンはＶＳＳで４ピンコネクタのＳｈｅｌｌ（周辺金具）に接続し、３番ピンはＴＰＢＮで４ピンコネクタ１１の３番ピンのＴＰＡＮに接続し、４番ピンはＴＰＢＰで４ピンコネクタ１１の４番ピンのＴＰＡＰに接続し、５番ピンはＴＰＡＮで４ピンコネクタ１１の１番ピンのＴＰＢＮに接続し、６番ピンはＴＰＡＰで４ピンコネクタ１１の２番ピンのＴＰＢＰに接続している。
【０００８】
次に、インターフェイス部とターゲット部の接続に関して説明する。
【０００９】
６ピンと４ピン変換ケーブルを使用した場合のインターフェイス部とターゲット部の構成について模式図について図７に示すものである。図７において、１６はＩＥＥＥ１３９４規格に準拠したインターフェイス部で、例えばパソコンに装備可能なＩＥＥＥ１３９４ボードに相当する。またインターフェイス部１６は制御部１３、６ピンコネクタ部１４，１５を搭載する。２０はインターフェイス部１６と接続しＩＥＥＥ１３９４規格に基づき高速通信が可能なターゲット部で、例えばＩＥＥＥ１３９４規格に対応した各種ドライブ類に相当する。ターゲット部２０は制御部１８、４ピンコネクタ部１９を搭載する。１３はインターフェイス部１６においてＩＥＥＥ１３９４機能を制御する制御回路である。１４，１５はインターフェイス部１６に設けられた６ピンコネクタ部である。１７はインターフェイス部１６のパネル面を表し、６ピンコネクタ部１４，１５を有する。１８はターゲット部２０でＩＥＥＥ１３９４機能を制御する制御回路である。１９は４ピンコネクタ部である。２１はターゲット部２０のパネル面を表し、４ピンコネクタ部１９を有する。
【００１０】
以上のように構成されたインターフェイス部１６とターゲット部２０について、正常なコネクタ接続をした場合の動作について以下に説明する。
【００１１】
まず、送信に関してインターフェイス部１６の制御部１３から出力された１３９４信号は、６ピンコネクタ部１４で変換されケーブル１２を伝送して、４ピンコネクタ部１９に入力されターゲット部２０の制御部１８で所望の処理をする。受信に関してはターゲット部２０の制御部１８から出力された１３９４信号は４ピンコネクタ部１９に入力され、インターフェイス部１６の制御部１３で所望の処理をする。その具体例を図８に示す。
【００１２】
しかしながら市場に出回っているインターフェイスボード，ケーブル等で商品によっては「逆挿し」等ができるものがある。つまり、通常６ピンコネクタ１０及び６ピンコネクタ部１４は、それぞれ図８に示すように相似形状の多角形をしている。よって挿入方向は決まっているはずだが、６ピンコネクタ１０を上下逆転させて挿入できる、不正規な接続が可能なインターフェースボードやケーブルがある。これがいわゆる「逆挿し」である。逆挿しを行った場合の構成図を図９に示すものである。
【００１３】
図９において、４ピンコネクタ１１を４ピンコネクタ部１９に挿入し（形状的に逆挿しを行うことができない）、６ピンコネクタ１０を６ピンコネクタ部１４に逆挿しした場合に、６ピンコネクタ１０での変換が変わり、４ピンコネクタ部１９に対して正常な接続ができなくなる。
【００１４】
以上のように構成されたインターフェイス部とターゲット部について、逆挿し接続した場合の結線について説明する。
【００１５】
逆挿しすると、インターフェイス部１６の６ピンコネクタ部１４のピン配置に対して６ピンコネクタ１０が逆になるため、図９内の結線のようになる。このようになった場合、６ピンコネクタ１０の６番ピンがＴＰＡＰで空きピンになり、５番ピンがＴＰＡＮで４ピンコネクタ１１のＳｈｅｌｌ（周辺金具）になり、４番ピンがＴＰＢＰで４ピンコネクタ１１の３番ピンのＴＰＡＮになり、３番ピンがＴＰＢＮで４ピンコネクタ１１の４番ピンのＴＰＡＰになり、２番ピンがＶＳＳで４ピンコネクタ１１の１番ピンのＴＰＢＮになり、１番ピンがＶＣＣで４ピンコネクタ１１の２番ピンのＴＰＢＰになる。
【特許文献１】特開２０００−２４５６９４号公報
【発明の開示】
【発明が解決しようとする課題】
【００１６】
しかしながら上記のように６ピンコネクタ１０を逆に挿した場合、６ピンコネクタ１０の１番ピンがＶＣＣになり４ピンコネクタ１１の２番ピン（ＴＰＢＰ）に接続するため、直接信号線に対して電圧がかかってしまう。ＩＥＥＥ１３９４の規格的には、信号線に対して８Ｖ〜４０Ｖの電圧がかかってしまい、４ピンコネクタ１１の２番ピン（ＴＰＢＰ）が破損してしまう可能性がある。また漏電等によって６ピンコネクタ１０の２番ピン（ＶＳＳ）に電圧がかかり、４ピンコネクタ１１の１番ピン（ＴＰＢＮ）に過電圧がかかってしまう。また静電気等が６ピンのＳｈｅｌｌ（周辺金具）に印加した場合、電流の逃げ道が無いために何れかの端子に落ちる可能性があり、破損の可能性があるという問題点を有していた。
【００１７】
本発明は上記問題点を解決するもので、６ピンコネクタの電圧を電圧検出回路に入力し信号ラインが保証できる電圧以上になったことを検出してビープ音、ＬＥＤの発光等によって警告を行うこと、また別の方法として正常に挿された場合以外は信号ラインを切断することを行い、ターゲット部の機器の破損を防ぐ回路を提供することを目的とする。
【課題を解決するための手段】
【００１８】
この目的を達成するために本発明の過電圧検出回路は、ｎ（ｎは自然数）本の信号ラインと電源ラインとグランドラインをを有し任意の変換を行う第１の接続端子と、ｍ（ｍは自然数）本の信号ラインとグランドとを有する第２の接続端子と、前記第１の接続端子と前記第２の接続端子とを接続する通信ケーブルで、前記第１の接続端子を機器に対して逆挿しを行った場合に任意の信号ラインに印可する電圧が一定電圧を超えたことを検出しまた一定電圧を越えない場合はｎ本のラインとの接続を切断する電圧検出手段と、前記電圧検出手段が一定電圧を超えたことを検出した場合に警告を行う警告手段とを備えた構成を有している。
【００１９】
この構成によって、６ピンコネクタの信号ラインに印加された電圧を電圧検出回路に入力し信号ラインが保証できる電圧以上になったことを検出してビープ音、ＬＥＤの発光等によって警告を行うことが得られる。
【発明の効果】
【００２０】
以上のように本発明は、コネクタの逆挿し等で信号ラインに過電圧等が発生してもターゲット側の機器に対しての破損を防ぐことができるという優れた効果が得られる。
【発明を実施するための最良の形態】
【００２１】
本発明の請求項１に記載の発明は、ｎ（ｎは自然数）本の信号ラインと電源ラインとグランドラインをを有し任意の変換を行う第１の接続端子と、ｍ（ｍは自然数）本の信号ラインとグランドとを有する第２の接続端子と、前記第１の接続端子と前記第２の接続端子とを接続する通信ケーブルで、前記第１の接続端子を機器に対して逆挿しを行った場合に任意の信号ラインに印可する電圧が一定電圧を超えたことを検出しまた一定電圧を越えない場合はｎ本のラインとの接続を切断する電圧検出手段と、前記電圧検出手段が一定電圧を超えたことを検出した場合に警告を行う警告手段とを備えたものであり、６ピンコネクタの信号ラインに印加された電圧を電圧検出回路に入力し信号ラインが保証できる電圧以上になったことを検出してビープ音、ＬＥＤの発光等によって警告を行うという作用を有する。
【００２２】
請求項２に記載の発明は、ｎ（ｎは自然数）本の信号ラインと電源ラインとグランドラインをを有し任意の変換を行う第１の接続端子と、ｍ（ｍは自然数）本の信号ラインとグランドとを有する第２の接続端子と、前記第１の接続端子と前記第２の接続端子とを接続する通信ケーブルで、前記第１の接続端子を機器に対して逆挿しを行った場合に任意の信号ラインに印可する電圧が一定電圧を超えたことを検出しまた一定電圧を越えない場合はｎ本のラインとの接続を切断する電圧検出手段と、前記電圧検出手段が一定電圧を超えたことを検出した場合に警告を行う警告手段と、前記電圧検出手段が一定電圧を超えたことを記憶する記憶手段を備えたものであり、６ピンコネクタの信号ラインに印可した電圧を電圧検出回路に入力し信号ラインが保証できる電圧以上になったことを検出してビープ音、ＬＥＤの発光等によって警告、及び逆挿しを行ったことを記憶して破壊に対しての状況を把握するという作用を有する。
【００２３】
請求項３に記載の発明は、ｎ（ｎは自然数）本の信号ラインと電源ラインとグランドラインをを有し任意の変換を行う第１の接続端子と、ｍ（ｍは自然数）本の信号ラインとグランドとを有する第２の接続端子と、前記第１の接続端子と前記第２の接続端子とを接続する通信ケーブルで、前記第１の接続端子を機器正常に挿した場合にグランドからｎ本の信号ラインのオフセット電圧に対して一定電圧からオフセット電圧を引いた基準電圧を越えたことを検出しまた基準電圧を越えない場合はｎ本のラインとの接続を切断する電圧検出制御手段と、前記電圧検出制御手段が検出した場合に警告を行う警告手段とを備えたものであり、グランドに過電圧がかかった場合に電圧検出回路に入力し信号ラインが保証できる電圧以上になったことを検出してビープ音、ＬＥＤの発光等によって警告を行う作用を有する。
【００２４】
請求項４に記載の発明は、ｎ（ｎは自然数）本の信号ラインと電源ラインとグランドラインをを有し任意の変換を行う第１の接続端子と、ｍ（ｍは自然数）本の信号ラインとグランドとを有する第２の接続端子と、前記第１の接続端子と前記第２の接続端子とを接続する通信ケーブルで、前記第１の接続端子を機器正常に挿した場合にグランドからｎ本の信号ラインのオフセット電圧に対して一定電圧からオフセット電圧を引いた基準電圧を越えたことを検出しまた基準電圧を越えない場合はｎ本のラインとの接続を切断する電圧検出制御手段と、前記電圧検出制御手段が検出した場合に警告を行う警告手段と、前記電圧検出制御手段が検出した場合に記憶する記憶手段とを備えたものであり、グランドに過電圧がかかった場合に電圧検出回路に入力し信号ラインが保証できる電圧以上になったことを検出してビープ音、ＬＥＤの発光等によって警告を行う作用を有する。
【００２５】
請求項５に記載の発明は、ｎ（ｎは自然数）本の信号ラインと電源ラインとグランドラインをを有し任意の変換を行う第１の接続端子と、ｍ（ｍは自然数）本の信号ラインとグランドとを有する第２の接続端子と、前記第１の接続端子と前記第２の接続端子とを接続する通信ケーブルで、前記第１の接続端子を機器に正常に挿した場合にｎ本分の信号ラインの接続を行う切り替え手段と、前記切り替え手段の接続・切断する切替制御手段と、正常接続を通知する正常通知手段とを備えたものであり、６ピンコネクタが正常に挿された場合に切断されているｎ本の信号ラインを切替回路Ｍによって接続されると同時に正常通知回路によりＬＥＤの発光を行う。これによりターゲット側の機器の破損を未然に防ぐという作用を有する。
【００２６】
以下、本発明の実施の形態について、図面を用いて説明する。
【００２７】
（実施の形態１）
図１は本発明の実施の形態１の過電圧検出回路の構成を示すブロック図であり、６ピンコネクタ内に挿入して配置する。
【００２８】
図１において、３０は任意の信号ラインに印可する電圧が一定電圧ａを超えた場合に検出し、また一定電圧ａを越えない場合はｎ本のラインとの接続を切断する回路を有する電圧検出手段である電圧検出回路、３１は電圧検出回路３０が一定電圧ａを超えたことを検出した場合に警告を行う警告手段である警告回路で、警告方法はビープ音などによる音による警告や、ＬＥＤや液晶による表示警告などがある。３２はｎ（ｎ＝自然数）本の信号ライン、電源ライン、グランドを有し任意の変換を行う接続手段であるコネクタ、３３はｍ（ｍ＝自然数）本の信号ラインとグランド（ＶＳＳ）を有するケーブルにより構成される。
【００２９】
以上のように構成された本実施の形態の過電圧検出回路について、図１を用いてその動作を説明する。
【００３０】
まず、６ピンコネクタ側で逆挿しが行われた場合に、従来例の図９でも説明したが、６ピンコネクタを基準に考えた場合、ｎ＝空きピン、ｎ＋１＝ｍ＋２、ｎ＋２＝ｍ＋３、ｎ＋３＝ＶＳＳ、ＶＳＳ＝ｍ、ＶＣＣ＝ｍ＋３になる。
【００３１】
この場合、６ピンコネクタのＶＣＣが４ピン変換した時のｍ＋３ラインに電圧印可を行うため、ｍ＋３ラインには過電圧が印加される可能性がある。この時、電圧検出回路３０は常に各ラインの電圧値を監視しており、各ラインにおける電圧値が一定電圧ａを越えると、警告回路３１に制御信号を送り、警告回路３１は所定の警告動作を行う。本実施の形態の場合、逆挿しによりｍ＋３ラインの電圧が一定電圧ａを超えたことを検出し、警告回路３１を動作させビープ音やＬＥＤ発光等を行う。
【００３２】
これにより、使用者は警告回路３１の動作をみて、コネクタ３２をインターフェイス部１６から離脱して、ターゲット２０側に繋がる機器の電気的破損を防ぐことができる。
【００３３】
以上のように本実施の形態によれば、ｎ本の内任意の信号ラインに一定電圧ａを越えた電圧が印可された場合に、その電圧を検出する電圧検出回路３０と、一定電圧を越えた時に警告する警告回路３１とを設けることにより、使用者にケーブルの逆挿しである旨を警告することができる。使用者はこの警告を確認し、ケーブルをコネクタから離脱し正規の方向に挿入し直すことで、ターゲット２０側に繋がる機器の電気的破損を防ぐことができる。
【００３４】
なお、本実施の形態では、ｍ＋３ラインにＶＣＣが印加された時の構成について説明したが、このラインに限定されるものではなく、インターフェイス側の端子構造とケーブル側コネクタの端子構造の組み合わせにより、他のラインにＶＣＣや過電圧が印加される可能性がある。これについても本実施の形態のような構成を用いることで、過電圧を検出して警告することができ、ターゲット側の機器の電気的破壊を防止することができる。
【００３５】
（実施の形態２）
図２は本発明の実施の形態２の過電圧検出回路の構成を示すブロック図であり、６ピンコネクタ内に挿入して配置する。
【００３６】
図２において、３０は任意の信号ラインに印可する電圧が一定電圧ａを超えた場合に検出しまた一定電圧ａを越えない場合はｎ本のラインとの接続を切断する回路を有する電圧検出手段である電圧検出回路、３１は電圧検出回路３０が一定電圧ａを超えたことを検出した場合に警告を行う警告手段である警告回路で、警告方法はビープ音などによる音による警告や、ＬＥＤや液晶による表示警告などがある。３２はｎ（ｎ＝自然数）本の信号ライン、電源ライン、グランドを有し任意の変換を行う接続手段であるコネクタ、３３はｍ（ｍ＝自然数）本の信号ラインとグランド（ＶＳＳ）を有するケーブル、３４は電圧検出回路３０が一定電圧ａを超えたことを検出した場合に記憶させておいて機器が破損した場合の解析を行う記憶手段である記憶回路により構成される。
【００３７】
以上のように構成された本実施の形態の過電圧検出回路について、図２を用いてその動作を説明する。
【００３８】
まず、６ピンコネクタ側で逆挿しが行われた場合に、従来例の図９でも説明したが、６ピンコネクタを基準に考えた場合、ｎ＝空きピン、ｎ＋１＝ｍ＋２、ｎ＋２＝ｍ＋３、ｎ＋３＝ＶＳＳ、ＶＳＳ＝ｍ、ＶＣＣ＝ｍ＋３になる。
【００３９】
この場合、６ピンコネクタのＶＣＣが４ピン変換した時のｍ＋３ラインに電圧印可を行うため、ｍ＋３ラインには過電圧が印加される可能性がある。この時、電圧検出回路３０は常に各ラインの電圧値を監視しており、各ラインにおける電圧値が一定電圧ａを越えると、警告回路３１に制御信号を送り、警告回路３１は所定の警告動作を行う。本実施の形態の場合、逆挿しによりｍ＋３ラインの電圧が一定電圧ａを超えたことを検出し、警告回路３１を動作させビープ音やＬＥＤ発光等を行う。
【００４０】
これにより、使用者は警告回路３１の動作をみて、ケーブルをインターフェイス部１６から離脱して、ターゲット２０側に繋がる機器の電気的破損を防ぐことができる。
【００４１】
一方、電圧検出回路３０で検出した過電圧の情報は、記憶回路３４にも入力され、記憶回路３４にてその情報を記憶する。記憶回路３４に記憶する情報としては、電圧検出回路３０にて一定電圧を越えた場合にフラグ「１」を記憶する方法でもよいし、インターフェイス部側の機器やターゲット側の機器の内蔵時計に連動して、過電圧検出した日時を記憶する方法がある。記憶回路３４に記憶した情報を活用する機会としては、例えばターゲット部に相当する機器が破損した場合に、サービスマンが記憶回路３４に記憶された情報を解析することで、ターゲット部の破損原因の追求に役立てることができる。
【００４２】
以上のように本実施の形態によれば、ｎ本の内任意の信号ラインに一定電圧ａを越えた電圧が印可された場合に、その電圧を検出する電圧検出回路３０と、一定電圧を越えた時に警告する警告回路３１とを設けることにより、使用者にケーブルの逆挿しである旨を警告することができる。使用者はこの警告を確認し、ケーブルをコネクタから離脱し正規の方向に挿入し直すことで、ターゲット２０側に繋がる機器の電気的破損を防ぐことができる。また破損時の解析に役立てることができる。
【００４３】
なお、本実施の形態では、ｍ＋３ラインにＶＣＣが印加された時の構成について説明したが、このラインに限定されるものではなく、インターフェイス側の端子構造とケーブル側コネクタの端子構造の組み合わせにより、他のラインにＶＣＣや過電圧が印加される可能性がある。これについても本実施の形態のような構成を用いることで、過電圧を検出して警告することができ、ターゲット側の機器の電気的破壊を防止することができる。
【００４４】
（実施の形態３）
図３は本発明の実施の形態３の過電圧検出回路の構成を示すブロック図であり、６ピンコネクタ内に挿入配置する。
【００４５】
図３において、３１は電圧検出制御回路３５が検出した場合に警告を行う警告手段である警告回路で、警告方法はビープ音などによる音による警告や、ＬＥＤや液晶による表示警告などがある。３２はｎ（ｎ＝自然数）本の信号ライン、電源ライン、グランドを有し任意の変換を行う接続端子であるコネクタ、３３はｍ（ｍ＝自然数）本の信号ラインとグランド（ＶＳＳ）を有するケーブル、３５は一定電圧ａからオフセット電圧ｂを引いた電圧を越えたことを検出しまた電圧ａ−ｂを越えない場合はｎ本のラインとの接続を切断する回路を有する電圧検出制御手段である電圧検出制御回路により構成される。
【００４６】
以上のように構成された本実施の形態の過電圧検出回路について、図３を用いてその動作を説明する。
【００４７】
まず、６ピンコネクタ側のグランド（ＶＳＳ）に静電気ノイズや過電圧が印可されることがある。例としては、使用者がコネクタ３２を手で持った際に、使用者の体で帯電した静電気が印加されることで、静電気ノイズにつながる。また、電源電圧が不安定な地域（国）で使用した時に、ターゲット側の機器に過電圧が印加される可能性もある。
【００４８】
このような場合に従来例の図９でも説明したが、ｎ本の信号ラインのオフセット電圧ｂに対して一定電圧ａからオフセット電圧ｂを引いた電圧を越えたことを電圧検出制御回路３５が検出し、警告回路３１によってビープ音やＬＥＤの発光等を行うことで、使用者に過電圧入力を警告することができる。
【００４９】
これに基づき使用者はケーブル３３をインターフェイス部やターゲット部から離脱することで、ターゲット側に繋がる機器の電気的破損を防ぐことができる。
【００５０】
以上のように本実施の形態によれば、静電気ノイズ、過電圧等がグランドに印可された場合に検出回路である電圧検出制御回路３５と警告回路３１を設けることにより、ターゲット側に繋がる機器の破損を防ぐことができる。
【００５１】
（実施の形態４）
図４は本発明の実施の形態４の過電圧検出回路の構成を示すブロック図であり、６ピンコネクタ内に挿入する。
【００５２】
図４において、３１は電圧検出制御回路３５が検出した場合に警告を行う警告手段である警告回路、３２はｎ（ｎ＝自然数）本の信号ライン、電源ライン、グランドを有し任意の変換を行う接続端子であるコネクタ、３３はｍ（ｍ＝自然数）本の信号ラインとグランド（ＶＳＳ）を有するケーブル、３５は一定電圧ａからオフセット電圧ｂを引いた電圧を越えたことを検出しまた電圧ａ−ｂを越えない場合はｎ本のラインとの接続を切断する回路を有する電圧検出制御手段である電圧検出制御回路、３６は電圧検出制御回路３５で一定電圧ａからオフセット電圧ｂを引いた電圧が印可されたことを記憶させておいて機器が破損した場合の解析を行う記憶手段である記憶回路により構成される。
【００５３】
以上のように構成された本実施の形態の過電圧検出回路について、図４を用いてその動作を説明する。
【００５４】
まず、６ピンコネクタ側のグランドに静電気ノイズや過電圧が印可された場合に従来例の図９でも説明したが、ｎ本の信号ラインのオフセット電圧ｂに対して一定電圧ａからオフセット電圧ｂを引いた電圧を越えたことを電圧検出制御回路３５が検出し警告回路３１によってビープ音、ＬＥＤの発光等を行うことでターゲット側に繋がる機器の破損を防ぐことができる。
【００５５】
一方、電圧検出制御回路３５で検出した過電圧の情報は、記憶回路３６にも入力され、記憶回路３６にてその情報を記憶する。記憶回路３６に記憶する情報としては、電圧検出制御回路３５にて一定電圧を越えた場合にフラグ「１」を記憶する方法でもよいし、インターフェイス部側の機器やターゲット側の機器の内蔵時計に連動して、過電圧検出した日時を記憶する方法がある。記憶回路３６に記憶した情報を活用する機会としては、例えばターゲット部に相当する機器が破損した場合に、サービスマンが記憶回路３６に記憶された情報を解析することで、ターゲット部の破損原因の追求に役立てることができる。
【００５６】
以上のように本実施の形態によれば、静電気ノイズ、過電圧等がグランドに印可された場合に検出回路である電圧検出制御回路３５と警告回路３１を設けることにより、ターゲット側に繋がる機器の破損を防ぐことができ、また記憶回路３６によりターゲット側に繋がる機器の破損の解析に役立てることができる。
【００５７】
（実施の形態５）
図５は本発明の実施の形態５の過電圧検出回路の構成を示すブロック図であり、６ピンコネクタ内に挿入配置する。
【００５８】
図５において、３２はｎ（ｎ＝自然数）本の信号ライン、電源ライン、グランドを有し任意の変換を行う接続端子であるコネクタ、３３はｍ（ｍ＝自然数）本の信号ラインとグランド（ＶＳＳ）を有するケーブル、４１はｎ本の信号ラインの導通／非導通を切り替える切替手段であるスイッチ、４２は６ピンコネクタが正規の方向に挿入された場合にＶＣＣからの電圧によってスイッチ４１をオン（接続）する切替制御手段である切替回路、４３は６ピンコネクタを正規の方向に挿入された場合にＶＣＣからの電圧によってＬＥＤの発光などを行う正常通知回路で、ＬＥＤ発光以外に液晶表示を行ったり、ビープ音などのように音にて警告する方法がある。
【００５９】
以上のように構成された本実施の形態の過電圧検出回路について、図５を用いてその動作を説明する。
【００６０】
まず、６ピンコネクタをインターフェイス部に逆挿しした場合、スイッチ４１の初期状態はオフ（切断）になっているので、ｎからｎ＋３のいずれのラインに過電圧が印加されても、ターゲット側の機器に過電圧は印可しない。
【００６１】
一方、６ピンコネクタを正規の方向に挿入した場合、ＶＣＣからの電圧によって切替回路４２がスイッチ４１（全部）をオン（接続）し、ｎからｎ＋３のラインを導通状態にする。これにより、インターフェイス側とターゲット側とで通信を行うことができる。また、６ピンコネクタを正規の方向に挿入し、ＶＣＣ端子にＶＣＣが印加された場合、正常通知回路４３がＬＥＤの発光等を行うことで、正規に挿入されたことを使用者に知らしめることができる。逆に言えば、逆挿しされた時はＬＥＤは発光しないので、逆挿し状態を知らしめることも可能である。
【００６２】
以上のように本実施の形態によれば、通常正常挿入した時にオンするスイッチと切替回路と正常通知回路を設けることにより、ターゲット側に繋がる機器の破損を防ぐことができき、また破損時の解析に役立てることができる。
【００６３】
なお、以上の説明ではケーブル３３は６ピンコネクタと４ピンコネクタを接続するとしたが、ケーブル３３はケーブルを無くした６ピンコネクタと４ピンコネクタの変換コネクタとしても良いとしてもよい。
【００６４】
なお、本実施の形態では、ＩＥＥＥ１３９４コネクタに関して記載しているが通信系のコネクタ全てに対応できるものである。
【産業上の利用可能性】
【００６５】
本発明の過電圧検出回路は、ＩＥＥＥ１３９４規格に準拠した高速インターフェイスの他、様々なインターフェイスに利用して有効なものである。さらに、ケーブルやコネクタの「逆挿し」など、規格に準拠しない使用法で使用した際に、機器の電気的破壊を防ぐことができるので、様々な用途に利用可能である。
【図面の簡単な説明】
【００６６】
【図１】本発明の実施の形態１における過電圧検出回路の構成を示すブロック図
【図２】本発明の実施の形態２における過電圧検出回路の構成を示すブロック図
【図３】本発明の実施の形態３における過電圧検出回路の構成を示すブロック図
【図４】本発明の実施の形態４における過電圧検出回路の構成を示すブロック図
【図５】本発明の実施の形態５における過電圧検出回路の構成を示すブロック図
【図６】６ピンコネクタ４ピンコネクタ変換ケーブルの構成を示すブロック図
【図７】６ピン４ピン変換ケーブルを使用した場合の接続状態を示す模式図
【図８】６ピン側を正常接続した場合の接続状態を示す模式図
【図９】６ピン側を逆接続した場合の接続状態を示す模式図
【符号の説明】
【００６７】
１０    ６ピンコネクタ
１１    ４ピンコネクタ
１２    ケーブル
１３    インターフェイス部の制御部
１４、１５    ６ピンコネクタの受け口
１６    インターフェイス部
１７    インターフェイス部のパネル面
１８    ターゲット部の制御部
１９    ４ピンコネクタの受け口
２０    ターゲット部
２１    ターゲット部のパネル面
３０    電圧検出回路
３１    警告回路
３２    ６ピンコネクタ
３３    ケーブル
３４    記憶回路
３５    電圧検出回路
３６    記憶回路
４１    スイッチ
４２    切替回路
４３    正常通知回路
【図１】
2005143239.tif 000003
【図２】
2005143239.tif 000004
【図３】
2005143239.tif 000005
【図４】
2005143239.tif 000006
【図５】
2005143239.tif 000007
【図６】
2005143239.tif 000008
【図７】
2005143239.tif 000009
【図８】
2005143239.tif 000010
【図９】
2005143239.tif 000011